(57)【要約】【課題】  ヒンジ軸となる金属ピンを保持させる金具を前面扉に対して固定するための手間を減らす。【解決手段】  前面扉を構成する扉本体２８の前面に、ピン保持金具３３を受ける取付け面３９とガイド穴４１が設けられている。平板部３３ａの背面を取付け面３９に押し付けた状態でガイド面４２に沿ってピン保持金具３３を摺動させると、突出部３３ｄをガイド穴４１に差し込むことができる。ガイド穴４１の内部には、係合突起４１ｂが設けられている。ピン保持金具３３をガイド穴４１に向けて押し込むことにより、突出部３３ｄの先端の切欠き４８に係合突起４１ｂが切欠き４８に圧入され、ピン保持金具３３が扉本体２８に固定される。ピン保持金具３３が固定された後、ビス止めによりピン保持金具３３を取付け面３９に固着させる。【選択図】        図６
2005102841.tif 000002
【特許請求の範囲】
【請求項１】
基体又は可動体の一方に設けられた軸受け穴と、その他方に設けられ、前記軸受け穴に差し込まれるヒンジ軸とにより、前記基体に対して前記可動体を回動自在に支持するヒンジ機構において、
前記軸受け穴に向けて突出する位置と前記軸受け穴から退避する位置との間で前記ヒンジ軸を移動自在に保持する保持具を備え、
前記ヒンジ軸が設けられる基体又は可動体には、前記保持具が取付けられる取付け面と、この取付け面上で前記保持具を所定方向に摺動させるためのガイド面とを有し、
前記取付け面上に第１の嵌合部が設けられ、前記保持具には第１の嵌合部と嵌合する第２の嵌合部が設けられており、
前記第１の嵌合部は、前記ガイド面に沿って前記保持具が摺動される方向から前記第２の嵌合部を受け入れる位置と、前記第２の嵌合部が完全に嵌合される位置との間で前記保持具をガイドする形状を有し、
前記第１及び第２の嵌合部を嵌合させて前記保持具が固定され、前記第１及び第２の嵌合部とは異なる位置で、前記取付け面に前記保持具が固着されることを特徴とするヒンジ機構。
【請求項２】
前記第１の嵌合部の一部に第３の嵌合部が形成され、前記第２の嵌合部の一部に前記第３の嵌合部と嵌合する第４の嵌合部が形成されており、
前記第３及び第４の嵌合部を嵌合させたときのクリアランスが、前記第１及び第２の嵌合部を嵌合させたときのクリアランスよりも小さく、
前記保持具が、前記第３及び第４の嵌合部を嵌合させることにより固定されることを特徴とする請求項１記載のヒンジ機構。
【請求項３】
遊技球が打ち出される遊技領域が設けられた遊技機本体と、前記遊技領域の視認を可能にする窓部を有し、前記遊技機本体に対して回動自在に支持される前面扉とを備えた弾球遊技機において、
前記遊技機本体又は前記前面扉の一方に軸受け穴が形成されており、
他方には、前記軸受け穴に差し込まれるヒンジ軸が前記軸受け穴に向けて突出する位置と前記軸受け穴から退避する位置との間で移動自在に保持される保持具を備え、この保持具が取付けられる取付け面と、取付け面上で保持具を所定方向に摺動させるためのガイドとなるガイド面とが形成されており、
前記取付け面に第１の嵌合部を設け、前記保持具には第１の嵌合部と嵌合する第２の嵌合部を設け、
前記第１の嵌合部は、前記ガイド面に沿って前記保持具が摺動される方向から前記第２の嵌合部を受け入れる位置と、前記第２の嵌合部が完全に嵌合される位置との間で前記保持具をガイドする形状を有し、
前記第１及び第２の嵌合部を嵌合させて前記保持具を固定し、前記第１及び第２の嵌合部とは異なる位置で前記取付け面に前記保持具を固着したヒンジ機構を備えたことを特徴とする弾球遊技機。
【請求項４】
前記第１の嵌合部の一部に第３の嵌合部が形成され、前記第２の嵌合部の一部に前記第３の嵌合部と嵌合する第４の嵌合部が形成されており、
前記第３及び第４の嵌合部を嵌合させたときのクリアランスが、前記第１及び第２の嵌合部を嵌合させたときのクリアランスよりも小さく、
前記保持具が、前記第３及び第４の嵌合部を嵌合させることにより固定されていることを特徴とする請求項３記載の弾球遊技機。
【発明の詳細な説明】
【技術分野】
【０００１】
本発明は、例えば遊技盤を覆う前面扉など回動自在に支持される可動体を容易に組み付け及び解体できるヒンジ機構及びこれを備えた弾球遊技機に関する。
【背景技術】
【０００２】
遊技場に設置される弾球遊技機は、例えば、遊技球が打ち出される遊技領域を有する遊技盤が組み込まれた筐体からなる遊技機本体と、遊技機本体の前面を覆う前面扉とから構成されている。前面扉には、遊技盤を外部に露呈させる透明なガラス窓が設けられており、遊技者は、ガラス窓を通して遊技盤に打ち出された遊技球の挙動を観察することができる。前面扉は、筐体に対して回動自在に支持され、施錠装置によって閉じた状態でロックされる。遊技機の内部で発生した故障の修理等を行うときには、施錠を解除して前面扉を開放することができる。
【０００３】
弾球遊技機では、新規製品の組み立て又は遊技場から撤去された遊技機を解体することに伴って、前面扉の組み付け又は解体が容易に行えるようにそのヒンジ機構が工夫されている。その一例として、前面扉に設けられたヒンジ軸（ピボット）をスライド可能に設け、ヒンジ軸を筐体に設けられた軸受け穴から退避できるようにしたものがある。ヒンジ軸を軸受け穴に対して進退可能に設けることにより、筐体と扉との間に生じる隙間を小さくできる利点がある。
【０００４】
このヒンジ機構には、ヒンジ軸としてＬ字状に曲げられた金属製のピンが用いられている。この金属ピンは、その一端が軸受け穴に差し込まれ、他端が前面扉に形成された開口部に掛けられて金属ピンの動きを規制する。金属ピンの他端側を開口部から外して下方に移動させると、金属ピンの一端を軸受け穴から引き抜くことができる。金属ピンは、前面扉に固定されるピン保持金具に保持され、金属ピンの一端は、ピン保持金具から突出して軸受け穴に差し込まれる。ピン保持金具は、前面扉の開閉動作を繰り返しても金属ピンが倒れたり、傾いたりすることのないように、少なくとも２本のビスで前面扉にしっかりと固定される。
【発明の開示】
【発明が解決しようとする課題】
【０００５】
しかしながら、従来では、上記ピン保持金具が、複数のビスによって前面扉に固定されるため、ピン保持金具を前面扉に固定するための手間がかかるという問題があった。
【０００６】
本発明は、上記問題点を考慮してなされたもので、金属ピンを保持するためのピン保持金具を固定するビスの本数を減らしても、金属ピンに倒れや傾きが生じないヒンジ機構を提供することを目的とする。
【課題を解決するための手段】
【０００７】
上記目的を達成するために、本発明のヒンジ機構は、基体又は可動体の一方に設けられた軸受け穴と、その他方に設けられ、前記軸受け穴に差し込まれるヒンジ軸とにより、前記基体に対して前記可動体を回転自在に支持するヒンジ機構において、前記軸受け穴に向けて突出する位置と前記軸受け穴から退避する位置との間で前記ヒンジ軸を移動自在に保持する保持具を備え、前記ヒンジ軸が設けられる基体又は可動体には、前記保持具が取付けられる取付け面と、この取付け面上で前記保持具を所定方向に摺動させるためのガイドとなるガイド面とを有し、前記取付け面上に第１の嵌合部が設けられ、前記保持具には第１の嵌合部と嵌合する第２の嵌合部が設けられており、前記第１の嵌合部は、前記保持具が前記ガイド面に沿ってガイドされながら前記取付け面上を摺動する方向から前記第２の嵌合部を受け入れる位置と、前記第２の嵌合部が完全に嵌合される位置まで前記保持具をガイドする形状を有し、前記第１及び第２の嵌合部を嵌合させて前記保持具が固定され、前記第１及び第２の嵌合部とは異なる位置で、前記取付け面に前記保持具が固着されることを特徴とする。
【０００８】
本発明の弾球遊技機は、遊技球が打ち出される遊技領域が設けられた遊技機本体と、前記遊技領域の視認を可能にする窓部を有し、前記遊技機本体に対して回動自在に支持される前面扉とを備えた弾球遊技機において、前記遊技機本体又は前記前面扉の一方に軸受け穴が形成されており、他方には、前記軸受け穴に差し込まれるヒンジ軸が前記軸受け穴に向けて突出する位置と前記軸受け穴から退避する位置との間で移動自在に保持される保持具を備え、この保持具が取付けられる取付け面と、取付け面上で保持具を摺動させる際のガイドとなるガイド面とが形成されており、前記取付け面に第１の嵌合部を設け、前記保持具には第１の嵌合部と嵌合する第２の嵌合部を設け、前記第１の嵌合部は、前記保持具が前記ガイド面に沿って前記取付け面上を摺動する方向から前記第２の嵌合部を受け入れる位置と、前記第２の嵌合部が完全に嵌合される位置との間で前記保持具をガイドする形状を有し、前記第１及び第２の嵌合部を嵌合させて前記保持具を固定し、前記第１及び第２の嵌合部とは異なる位置で前記取付け面に前記保持具を固着したヒンジ機構を備えたことを特徴とするものである。
【０００９】
また、前記第１の嵌合部の一部に第３の嵌合部を形成し、前記第２の嵌合部の一部に前記第３の嵌合部と嵌合する第４の嵌合部を形成し、前記第３及び第４の嵌合部が嵌合したときのクリアランスを、前記第１及び第２の嵌合部が嵌合したときのクリアランスよりも小さし、前記第３の嵌合部と第４の嵌合部とを嵌合させることにより保持具が固定されるようにしたことを特徴とする。
【発明の効果】
【００１０】
本発明のヒンジ機構によれば、ヒンジ軸を進退可能に保持する保持具を基体又は可動体に取付けるにあたり、嵌合によって位置決め案内を行って固定させる位置と、ビス止め等によって取付け面と一体的に固着させる位置との２つ位置を支点として、軸受け穴に対するヒンジ軸の位置決めが正確に行えるから、ビス止め等のように器具や部品を要する手間のかかる係止箇所を減らすことができる。
【００１１】
本発明の弾球遊技機によれば、前面扉を遊技機から取外す解体作業、また前面扉を遊技機に取付ける組み立て作業が速やかに行えるヒンジ機構を設けるにあたり、ヒンジ軸を保持する保持具を取付けるための手間を削減しても、保持具を取付ける精度を高くしてヒンジ軸の位置決めが正確に行える。よって、ヒンジ軸が差し込まれた際、ヒンジ軸と軸受け穴とのクリアランスを小さくし、前面扉のガタつきを抑えることができる。すなわち、前面扉と遊技機の筐体との間にピアノ線や針金等を強引に差し込んで遊技領域を細工する不正行為を可能にする隙間が生じないため、高い防犯効果が確保される。
【００１２】
また、クリアランスが大きいことで保持具の粗い位置決めと案内が行われる嵌合と、クリアランスが小さいことで保持具の位置決めを高い精度で行える嵌合とにより、保持具の円滑な取付けと正確な固定とが容易に行える。
【発明を実施するための最良の形態】
【００１３】
図１において、弾球遊技機１０は、遊技機本体１１と前面扉１２を備えるように構成されている。遊技機本体１１には、遊技盤１３が着脱自在に組み込まれている。前面扉１２は、遊技機本体１１に対して回動自在に取り付けられている。前面扉１２は透明板としてガラス板が嵌め込まれたガラス窓１４を有し、遊技者がガラス窓１４を通して遊技盤１３を視認できる。遊技盤１３には、その前面に遊技者の操作によって遊技球が打ち出される遊技領域が設けられている。遊技盤１３に設けられた遊技領域には、複数の障害釘や風車等の構造物、液晶表示装置１５、始動入賞口１６やアタッカ１７等が設けられている。なお、これらのものはいずれも公知であるので、その詳細については省略する。また、遊技盤１３の背面には、液晶表示装置１５を制御する回路等が設けられた基板やアタッカ１７を駆動するモータやそれらを作動させる制御装置等が組み付けられている。
【００１４】
遊技機本体１１の下部には、受け皿２０とハンドル２１が設けられている。受け皿２０には、遊技に使用する遊技球がセットされ、また、遊技を行って得られた賞球が払い出される。ハンドル２１は、遊技機本体１１の内部に設けられた球発射装置と連結されており、遊技球を打ち出す際に操作される。ハンドル２１を回動すると、回動した角度に応じた強さで遊技球が自動的に打ち出される。
【００１５】
図２において、遊技機本体１１は、遊技盤１３を保持する保持枠（基体）２５と、上述した受け皿２０等が設けられた本体基部とに分離自在である。また、遊技盤１３は保持枠２５から分離自在である。このような構造は、例えば遊技球の落下態様を変えるために遊技盤１３を他の遊技盤と交換して弾球遊技機１０の遊技内容を変更する時や、弾球遊技機１０の外観を変更する時に、最小限の部品交換で済むようにするためのものである。
【００１６】
前面扉１２は、保持枠２５によって回動自在に支持されている。すなわち、保持枠２５が本体基部に取り付けられることにより、前面扉１２が遊技機本体１１に対して回動自在に支持される。前面扉１２は閉じられた状態で保持枠２５に固定され、遊技盤１３に外部から触れることができないように施錠される。一方、施錠を解除すると、前面扉１２を回動させて開放することができる。
【００１７】
図３において、前面扉１２は、扉本体（可動体）２８と外装部材２９とガラス扉３０とからなる。外装部材２９は、扉本体２８をその前側から囲うように覆う形状を有し、扉本体２８に設けられるスピーカーや発光素子等の電気部品を保護する作用をする。また、前面扉１２を装飾して弾球遊技機１０の美観を高め、発光素子を点灯させたときの光に視覚的効果を与える有色の透明部やレンズ部を有している。
【００１８】
ガラス扉３０は、扉本体２８にその背後から取り付けられ、前面扉１２が開放される向きと逆向きに回動し、ガラス表面や周囲の縁を清掃するときには容易に取り外すことができる。扉本体２８は、中央にガラス扉３０が嵌め込まれる開口が設けられた枠体からなる。扉本体２８の前面側部には、その上端隅にヒンジ軸となる金属ピン３１が設けられ、下端隅にはヒンジ穴３２が設けられている。金属ピン３１とヒンジ穴３２はその中心が同一直線上に位置し、金属ピン３１は保持枠２５に形成された軸受け穴２５ａ（図４参照）に差し込まれ、ヒンジ穴３２には保持枠２５に形成されたヒンジ突起（図示なし）が差し込まれる。保持枠２５は、外装部材２９とガラス扉３０とが一体に取り付けられた扉本体２８を回動自在に支持し、前面扉１２の回動を可能にする。
【００１９】
図４において、金属ピン３１はピン保持金具（保持具）３３によって保持され、ピン保持金具３３は、ビス３４によって扉本体２８の前面上で固着される。金属ピン３１は、略直角に曲げられたＬ字形状を有し、その一端３１ａはピン保持金具３３から扉本体２８の上方に向けて突出する。金属ピン３１の他端３１ｂは、扉本体２８に形成された開口部３５から扉本体２８を貫通し、その背面側に突出して係合自在となるようにしている。
【００２０】
扉本体２８の背面側に突出する金属ピン３１の他端３１ｂを摘むなどして回動させ、開口部３５との係合を解除する操作を行うと、そのまま金属ピン３１をヒンジ軸方向に沿って下方に移動させることができるようになる。金属ピン３１の他端３１ｂを下方に移動させると、金属ピン３１の一端３１ａはピン保持金具３３に向かって引っ込み、前面扉１２を保持枠２５に着脱する作業が容易となる。金属ピン３１は、付勢バネ３６により上方に向けて付勢されている。付勢バネ３６は、金属ピン３１が下方に移動されると圧縮変形し、その復元力により金属ピン３１を上方に向けて押し出すための力を与える。これにより、金属ピン３１に外力が加わっていない状態では付勢バネ３６が金属ピン３１を常に上方に押し上げるので、ピン保持金具３３から金属ピン３１が脱落することが防止される。
【００２１】
図５において、扉本体２８に設けられた開口部３５は、金属ピン３１の他端３１ｂを回動させた際に下方への移動を規制する横穴３５ａと、金属ピン３１をヒンジ軸方向に沿って上下方向に移動自在にする縦穴３５ｂとを有する。また、扉本体２８には、ピン保持金具３３の背面に密接する平坦な取付け面３９が設けられている。取付け面３９は、ビス３４を貫通させてピン保持金具３３を固着するためのビス穴４０と、ピン保持金具３３を嵌合によって固定させるガイド穴（第１の嵌合部）４１とが設けられている。ガイド面４２は、取付け面３９に対して垂直に設けられ、取付け面３９はガイド面４２による段差を介して開口部３５が形成された面よりも窪んだ位置に設けられている。
【００２２】
ピン保持金具３３は、例えば、金属製の板材に打ち抜き加工と曲げ加工を施すことによって形成される。ピン保持金具３３は、略長方形をした平板部３３ａと、対向する互いの端縁を平板部３３ａの前面側に向けてコの字状に折り曲げた一対片であるピン保持部３３ｂ，３３ｃと、平板部３３ａの端縁から部分的に突出した突出部（第２の嵌合部）３３ｄとからなる。平板部３３ａは、ビス３４を貫通させて扉本体２８に固着するための固定穴４５を有し、ピン保持金具３３が固定される際にその背面が扉本体２８の取付け面３９に密着する。ピン保持部３３ｂ，３３ｃは、金属ピン３１が貫通するようにその中心が同一直線上にある貫通穴４６をそれぞれ有し、ピン保持部３３ｂとピン保持部３３ｃとの間に、金属ピン３１が内部に通される付勢バネ３６が設けられる。金属ピン３１は、その一端３１ａがピン保持部３３ｂの貫通穴４６に差し込まれ後、付勢バネ３６を受ける鍔部材４７が取付けられる。金属ピン３１は、鍔部材４７により一端３１ａがピン保持部３３ｃから一定長さだけ突出した位置に保持される。また、縦穴３５ｂによって、一端３１ａがピン保持部３３ｃの貫通穴４６から抜けないように、下方向への移動を許容する大きさが決められる。
【００２３】
図６において、突出部３３ｄは、その先端に切欠き（第４の嵌合部）４８が形成されている。突出部３３ｄは、ピン保持金具３３がビス３４により扉本体２８に固着される際、事前にガイド穴４１と嵌合してピン保持金具３３の位置決め案内を行う作用をし、ピン保持金具３３を扉本体２８に固定させる機能を有する。
【００２４】
ガイド穴４１は、ピン保持金具３３を取付け面３９上でガイド面４２に沿って移動させた時の方向のみから突出部３３ｄを差し込むことができる開口４１ａを有し、切欠き４８と噛み合う係合突起（第３の嵌合部）４１ｂが設けられている。開口４１ａは、突出部３３ｄの幅Ｗ１よりも大きい幅Ｗ２を有し、ガイド穴４１の内部は面取り部４１ｃを介して突出部３３ｄより僅かに大きい幅Ｗ３を有する。突出部３３ｄの先端縁の隅にも面取り部３３ｅが設けられ、突出部３３ｄはガイド穴４１に容易に差し込むことができる。
【００２５】
係合突起４１ｂは、切欠き４８の形状に合わせて先端が半円弧状に形成されている。突出部３３ｄは、先端の切欠き４８が係合突起４１ｂと噛み合って係合する位置までガイド穴４１によりガイドされる。係合突起４１ｂと切欠き４８は、ともに高い寸法精度で形成されており、係合突起４１ｂの幅Ｗ４と、切欠き４８の幅Ｗ５はほぼ同じ大きさに形成されている。従って、ピン保持金具３３をある程度の力で押し込むことにより、係合突起４１ｂと切欠き４８が係合し、互いに隙間なく密着して水平位置が確実に定められる。
【００２６】
次に保持枠２５に前面扉１２を組み付ける際の手順について説明する。扉本体２８を保持枠２５に取付ける際には、扉本体２８にピン保持金具３３を固定する。ピン保持金具３３の平板部３３ａを押さえ、その背面を扉本体２８の取付け面３９に当接させる。また、ピン保持部３３ｂの下面３３ｆを扉本体２８のガイド面４２に当接させる。このままピン保持金具３３が取付け面３９及びガイド面４２にそれぞれ当接した状態を保ち、ピン保持金具３３をガイド穴４１に向けて摺動させる。ピン保持金具３３は、ガイド面４２に沿って、金属ピン３１の中心軸に垂直な水平方向へ移動し、突出部３３ｄの先端が開口４１ａに差し込まれる。また、このときに金属ピン３１の他端３１ｂを開口部３５に通し、背面側に向けて突出させる。
【００２７】
突出部３３ｄは、開口４１ａからガイド穴４１内に差し込まれた後、ガイド穴４１の内部の形状に沿ってガイドされる。ピン保持金具３３を取付け面３９上で摺動させ、突出部３３ｄをガイド穴４１の内部へとさらに移動させると、係合突起４１ｂの先端が切欠き４８に接触する。ピン保持金具３３をそのまま押し込むと、切欠き４８が係合突起４１ｂに圧入され、両者が噛み合う状態となる。ピン保持金具３３は、係合突起４１ｂと切欠き４８が噛み合う状態となって、押さえを解いた状態でも扉本体２８から外れることがない位置まで移動して扉本体２８に固定される。
【００２８】
ピン保持金具３３が扉本体２８に固定されると、ピン保持金具３３の平板部３３ａに設けられた固定穴４５と、扉本体２８に設けられたビス穴４０とが一致するので、ここにビス３４を差し込み、平板部３３ａと取付け面３９とを密着させてピン保持金具３３を扉本体２８と一体に固着する。ビス止めされた位置と、切欠き４８及び係合突起４１ｂが噛み合った位置との２点でピン保持金具３３が係止される。従って、金属ピン３１に横方向から外力が加えられても、ピン保持金具３３が傾いて金属ピン３１の向きが変わることはない。また、金属ピン３１は、その中心が軸受け穴２５ａの中心と一直線上に結ばれる向きに正確に位置決めされ、保持枠２５に支持された扉本体２８を円滑に回動することが可能となる。
【００２９】
ピン保持金具３３が一体に固着された扉本体２８には、外装部材２９とガラス扉３０とが取付けられ、前面扉１２が組み立てられる。保持枠２５に前面扉１２を組み付けるには、開口部３５を介して扉本体２８の背面側に突出した金属ピン３１の他端３１ｂを、縦穴３５ｂに沿って下方向に操作し、金属ピン３１の先端３１ａをピン保持部３３ｃの貫通穴４３の位置まで退避させておく。扉本体２８の下端に設けられたヒンジ穴３２に、保持枠２５のヒンジ突起（図示なし）を貫通させて差し込む。また、金属ピン３１を退避させたまま前面扉１２の上端を保持枠２５に宛がい、金属ピン３１の先端３１ａの位置と軸受け穴２５ａの位置とを合わせ、金属ピン３１を下方向に退避させていた押さえを解く。付勢バネ３６の力により金属ピン３１は上方へ押し上げられ、金属ピン３１が自身で軸受け穴２５ａに入り込む。このようにして、前面扉１２が保持枠２５に枢着される。金属ピン３１の他端３１ｂを横穴３５ａに沿って回動させると、金属ピン３１の他端３１ｂが開口部３５に係合した状態となり、金属ピン３１の上下方向の移動がロックされる。
【００３０】
また、前面扉１２を保持枠２５から取り外す際には、金属ピン３１の他端３１ｂを横穴３５ａに沿って係合させたときと逆方向に回動させ、開口部３５との係合状態を解除し、縦穴３５ｂに沿って金属ピン３１の他端３１ｂを下方向に移動させるように操作すると、ピン保持部３３ｃから軸受け穴２５ａの内部に突出した金属ピン３１の先端３１ａを退避させることができるので、前面扉１２の上端が保持枠２５から容易に外れる。前面扉２８の下端隅に設けてあるヒンジ穴３２をヒンジ突起２５ｂから引き抜いて軸支状態を解除すれば、前面扉１２を取り外すことができる。
【００３１】
以上の実施形態では、ヒンジ軸にＬ字状の金属ピン３１を使用し、金属ピン３１を金属製の保持具に保持させているが、本発明は、各部品を構成する材料や具体的な形状により限定されることはない。また、ガイド面４２は取付け面３９に隣接した垂直な面として設けているが、これに限られず、ガイド面は、嵌合によって保持具を固定させるために取付け面上で摺動させる際に、嵌合が得られる位置に向けて保持具を所定方向にガイドできるものであればよい。また、上記実施形態では、付勢バネ３６により軸受け穴２５ａに向けて突出するように金属ピン３１を付勢し、かつ脱落を防止しているが、付勢バネ３６を必ずしも設ける必要はない。また、金属ピンを保持枠に設け、軸受け穴を前面扉に設けてもよい。また、保持具は、基体となる保持枠２５又は可動体である前面扉１２の上部だけでなく下部もしくは上部と下部の両方に設けてもよい。
【産業上の利用可能性】
【００３２】
本発明のヒンジ機構は、弾球遊技機に用いることに限られず、その他の遊技機に適用できる。また、遊技機に限られず、窓や開き戸等を回動自在に支持する一般的なヒンジ機構に利用できる。
【図面の簡単な説明】
【００３３】
【図１】弾球遊技機の外観斜視図である。
【図２】前面扉と保持枠の斜視図である。
【図３】前面扉の分解斜視図である。
【図４】扉本体に設けられた金属ピンとピン保持金具の斜視図である。
【図５】金属ピンとピン保持金具を分離して示す斜視図である。
【図６】ピン保持金具の平面図である。
【符号の説明】
【００３４】
１２  前面扉
２５  保持枠
２８  扉本体
３１  金属ピン
３３  ピン保持金具
３３ｂ，３３ｃ  ピン保持部
３３ｄ  突出部
３４  ビス
４０  ビス穴
４１  ガイド穴
４１ａ  開口
４１ｂ  係合突起
４５  固定穴
４８  切欠き
【図１】
2005102841.tif 000003
【図２】
2005102841.tif 000004
【図３】
2005102841.tif 000005
【図４】
2005102841.tif 000006
【図５】
2005102841.tif 000007
【図６】
2005102841.tif 000008